(57)【要約】【課題】自動的に低周波数帯の音声信号を検出して該音声信号をスピーカから出力する音量を上げることが出来るテレビジョン放送受信機を提供することにある。【解決手段】制御部が、テレビジョンチューナ、ＶＴＲ、ＤＶＤ装置からの音声信号の電圧比を検出するレベル検出部からの電圧比に基づいて、音声信号の電圧比が人間によって無音状態として知覚される音声信号の電圧比以上であるか否かを判別し、該電圧比以上であれば、音声信号を構成する周波数帯の内、規定値以下の各周波数に於ける電圧比を積分して規定値以下の電圧比の総和を算出し、総和の値が一定の値以上であれば低音、それ以外は高音として判別し、低音と判別された場合には、音声信号が一定時間以上継続したか否かをさらに判別し、一定時間以上継続した場合にアンプの利得を増加させる。【選択図】  図２
2006054828.tif 000002
【特許請求の範囲】
【請求項１】
テレビジョンチューナと、ＶＴＲと、ＤＶＤ装置とを備える一体型テレビジョン放送受信機であって、
前記テレビジョンチューナと前記ＶＴＲとＤＶＤ装置からの音声信号の電圧比を検出するレベル検出部と、
前記音声信号を増幅するアンプと、
前記レベル検出部からの電圧比に基づいて、前記音声信号の電圧比が、人間によって無音状態として知覚される音声信号の電圧比以上であるか否かを判別し、前記音声信号の電圧比が前記人間によって無音状態として知覚される音声信号の電圧比以上であれば、前記音声信号を構成する周波数帯の内、規定値以下の各周波数に於ける電圧比を積分して、前記規定値以下の電圧比の総和を算出し、前記総和の値が一定の値以上であれば低音、一定の値より小さければ高音として判別し、さらに、前記音声信号が低音であると判別された場合に、前記音声信号が一定時間以上継続したか否かを判別し、前記音声信号が一定時間以上継続した場合に、アンプの利得を増加させる制御部と、を備えることを特徴とするテレビジョン放送受信機。
【請求項２】
テレビジョンチューナと映像音声出力装置とを備える一体型テレビジョン放送受信機であって、
前記テレビジョンチューナと前記映像音声出力装置からの音声信号の信号レベルを検出するレベル検出部と、
前記音声信号を増幅するアンプと、
前記レベル検出部からの信号レベルに基づいて、前記音声信号の信号レベルが閾値以上であるか否かを判別し、閾値以上であれば、前記音声信号が低音であるか高音であるかを判別し、前記音声信号が低音の場合に、前記アンプの利得を増加させる制御部と、を備えることを特徴とするテレビジョン放送受信機。
【請求項３】
前記制御部は、前記音声信号が所定時間以上低音であれば、前記アンプの利得を増加させることを特徴とする、請求項２に記載のテレビジョン放送受信機。
【請求項４】
前記閾値は、人間が無音状態として知覚する信号レベルであることを特徴とする、請求項３に記載のテレビジョン放送受信機。
【請求項５】
前記制御部は、前記音声信号を構成する周波数の内、規定値以下の各周波数に於ける電圧比を積分して、前記規定値以下の電圧比の総和を算出し、前記総和の値が一定の値以上であれば低音、一定の値より小さければ高音として判別することを特徴とする請求項４に記載のテレビジョン放送受信機。
【請求項６】
前記映像音声出力装置は、ＶＴＲであることを特徴とする、請求項２乃至５の何れか一つに記載のテレビジョン受信機。
【請求項７】
前記映像音声出力装置は、ＤＶＤ装置であることを特徴とする、請求項２乃至５の何れか一つに記載のテレビジョン受信機。
【請求項８】
前記映像音声出力装置は、ＶＴＲとＤＶＤ装置であることを特徴とする、請求項２乃至５の何れか一つに記載のテレビジョン受信機。
【請求項９】
テレビジョンチューナと映像音声出力装置とを備える一体型テレビジョン放送受信機に於いて、
レベル検出部が前記テレビジョンチューナと前記映像音声出力装置からの音声信号の信
号レベルを検出し、アンプが前記音声信号を増幅し、制御部が前記レベル検出部からの信号レベルに基づいて、前記音声信号の信号レベルが閾値以上であるか否かを判別し、閾値以上であれば、前記音声信号が低音であるか高音であるかを判別し、前記音声信号が低音の場合に、アンプの利得を増幅させることを特徴とする音量制御方法。
【請求項１０】
前記音声信号が所定時間以上低音であれば、前記アンプの利得を増加させることを特徴とする、請求項９に記載の音量制御方法。
【請求項１１】
前記閾値は、人間が無音状態として知覚する信号レベルであることを特徴とする、請求項１０に記載の音量制御方法。
【請求項１２】
前記制御部は、前記音声信号を構成する周波数の内、規定値以下の各周波数に於ける電圧比を積分して、前記規定値以下の電圧比の総和を算出し、前記総和の値が一定の値以上であれば低音、一定の値より小さければ高音として判別することを特徴とする、請求項１１に記載の音量制御方法。
【発明の詳細な説明】
【技術分野】
【０００１】
本発明は、低音の音声信号の出力音量を上げてスピーカから出力する音量制御方法と、音量制御機能を備えたテレビジョン放送受信装置に関する。
【背景技術】
【０００２】
一般に、人間の聴力は加齢に伴い減退する傾向にあり、特に、老化が進行する程、低周波数帯域の音声（例えば男性の低い声など）を聞き取ることが困難になることが一般に知られている。テレビジョン放送受信機等の音声出力手段を備えた装置に於いて、こうした低周波数帯域の音声を聞き取り易くする機能があれば、一定年齢層以上のユーザにとって、非常に使い勝手が良いものとなることは間違いない。
【０００３】
音声信号の出力レベルの調整に関する発明は、従来から様々なものが提案されている。例えば、特許文献１には、音声信号の出力レベルを調整する音声信号処理装置について記載されている。この音声信号処理装置では、音声信号を所定の周波数帯域に分割して、周波数帯域毎に、周波数帯域が低くなるほど音声信号のレベルを低減する度合いを大きくするように利得調整を行い、利得調整後の音声信号を加算して出力する。これにより、音声信号の高周波成分の音質を損なうことなく音声信号の出力レベルを平均化することが出来る。特許文献２には、受聴者の聴覚に適した音声信号の出力レベルを得ることが出来る音声信号処理装置について記載されている。この音声信号処理装置は、受聴者の主観的な音量操作に応じて、利得調整の設定を変更することが出来る。
【特許文献１】特開２００３−２９９１８１号公報（第３乃至６頁、図１）
【特許文献２】特開２０００−１９６３８８号公報（第３乃至６頁、図２乃至図６）
【発明の開示】
【発明が解決しようとする課題】
【０００４】
上述のように、特許文献１の発明では、テレビジョン放送番組間で生じる音量差を低減するように、音声信号の出力レベルを平均化することが可能であるが、音の高さに基づいて音声信号の出力レベルを調整することは出来ない。また、特許文献２の発明では、受聴者が音量操作を行うまで、自動的に音声信号の出力レベルを変更することが出来ず、音の高さに基づいて音声信号の出力レベルを調整することも出来ない。
【０００５】
したがって、本発明の目的は、自動的に低周波数帯の音声信号を検出して該音声信号をスピーカから出力する音量を上げることが出来るテレビジョン放送受信機を提供することにある。
【課題を解決するための手段】
【０００６】
第１発明に係るテレビジョン放送受信機は、テレビジョンチューナと、ＶＴＲと、ＤＶＤ装置とを備える一体型テレビジョン放送受信機であって、テレビジョンチューナとＶＴＲとＤＶＤ装置からの音声信号の電圧比を検出するレベル検出部と、音声信号を増幅するアンプと、レベル検出部からの電圧比に基づいて、音声信号の電圧比が、人間によって無音状態として知覚される音声信号の電圧比以上であるか否かを判別し、音声信号の電圧比が人間によって無音状態として知覚される音声信号の電圧比以上であれば、音声信号を構成する周波数帯の内、規定値以下の各周波数に於ける電圧比を積分して、規定値以下の電圧比の総和を算出し、総和の値が一定の値以上であれば低音、一定の値より小さければ高音として判別し、さらに、音声信号が低音であると判別された場合に、音声信号が一定時間以上継続したか否かを判別し、音声信号が一定時間以上継続した場合に、アンプの利得を増加させる制御部とを備えることを特徴とする。
【０００７】
このテレビジョン放送受信機によれば、テレビジョンチューナと、ＶＴＲと、ＤＶＤ装置から出力される音声信号の内、電圧比が人間によって無音状態として知覚される閾値以上であって、低音であると判別された音声信号が一定時間以上継続した場合に限って、アンプの利得を増加させるので、音声信号が高音の場合には音量を変化させずに、低音の音量のみ音量を上げることによって、低音の音声を聴き取り易い状態にすることが出来るとともに、極めて短い時間に消滅する低音の音声ではなく、一定時間継続する発話行為による低音の音声のように、内容把握が必要な低音の音声を聴き易い状態にすることが出来る。
【０００８】
また、このテレビジョン放送受信機によれば、人間が無音状態として知覚する音声信号レベル以下の信号については、制御部で音量制御処理を施す必要がないので、不要な電力消費を抑えることが出来る。
【０００９】
また、このテレビジョン放送受信機によれば、音声信号を構成する周波数の内、規定値以下の各周波数に於ける電圧比を積分して、規定値以下の電圧比の総和を算出し、総和の値が一定の値以上であるか否かによって高音と低音の判別をすることが出来るので、音声信号の周波数成分を比較することによって、容易に低音と高音の判別をすること出来る。
【００１０】
第２発明に係るテレビジョン放送受信機は、テレビジョンチューナと映像音声出力装置とを備える一体型テレビジョン放送受信機であって、テレビジョンチューナと映像音声出力装置からの音声信号の信号レベルを検出するレベル検出部と、音声信号を増幅するアンプと、レベル検出部からの信号レベルに基づいて、音声信号の信号レベルが閾値以上であるか否かを判別し、閾値以上であれば、音声信号が低音であるか高音であるかを判別し、音声信号が低音の場合に、アンプの利得を増加させる制御部とを備えることを特徴とする。
【００１１】
このテレビジョン放送受信機によれば、音声信号のレベルが閾値以上であり、低音であると判別された音声信号に限って、アンプの利得を増加させることが可能となるので、高音の音量の場合は変化させることなく、低音の音量のみを上げることが出来る。
【００１２】
第３発明に係るテレビジョン放送受信機は、第２発明に係るテレビジョン放送受信機に於いて、制御部は、音声信号が所定時間以上低音であれば、アンプの利得を増加させることを特徴とする。
【００１３】
このテレビジョン放送受信機によれば、音声信号が所定時間以上低音であれば、制御部がアンプの利得を増加させて低音の音量を上げるので、極めて短い時間に消滅する音声ではなく、一定時間継続する発話行為による音声のように、内容把握が必要な音声を対象にユーザが低音の音声を聴き易い状態にすることが出来る。
【００１４】
第４発明に係るテレビジョン放送受信機は、第３発明に係るテレビジョン放送受信機において、閾値は、人間が無音状態として知覚する信号レベルであることを特徴とする。
【００１５】
このテレビジョン放送受信機によれば、人間が無音状態として知覚する信号レベル以下の音声信号については、制御部で音量制御処理を施す必要がないので、不要な電力消費を抑えることが出来る。
【００１６】
第５発明に係るテレビジョン放送受信機は、第４発明に係るテレビジョン放送受信機に於いて、制御部は、音声信号を構成する周波数の内、規定値以下の各周波数に於ける電圧比を積分して、規定値以下の電圧比の総和を算出し、総和の値が一定の値以上であれば低音、一定の値より小さければ高音として判別することを特徴とする。
【００１７】
このテレビジョン放送受信機によれば、制御部は、音声信号を構成する周波数帯の内、規定値以下の各周波数に於ける電圧比を積分して、規定値以下の電圧比の総和を算出し、総和の値が一定の値以上であるか否かによって高音と低音の判別をすることが出来るので、音声信号の周波数成分を比較することによって、容易に低音と高音の判別をすることが
出来る。
【００１８】
第６発明に係るテレビジョン放送受信機は、第２乃至第５発明の何れか一つに係るテレビジョン放送受信機に於いて、映像音声出力装置は、ＶＴＲであることを特徴とする。
【００１９】
このテレビジョン放送受信機によれば、テレビジョン放送の音声信号と、ビデオテープに記録された音声信号の内、一定時間継続する低音の出力音量を上げることが出来る。
【００２０】
第７発明に係るテレビジョン放送受信機は、第２乃至第５明の何れか一つに係るテレビジョン放送受信機に於いて、映像音声出力装置は、ＤＶＤ装置であることを特徴とする。
【００２１】
このテレビジョン放送受信機によれば、テレビジョン放送の音声信号と、ＤＶＤに記録された音声信号の内、一定時間継続する低音の出力音量を上げることが出来る。
【００２２】
第８発明に係るテレビジョン放送受信機は、第２乃至第５発明の何れか一つに係るテレビジョン放送受信機に於いて、映像音声出力装置は、ＶＴＲとＤＶＤ装置であることを特徴とする。
【００２３】
このテレビジョン放送受信機によれば、テレビジョン放送の音声信号と、ビデオテープに記録された音声信号と、ＤＶＤに記録された音声信号の内、一定時間継続する低音の出力音量を上げることが出来る。
【００２４】
第９発明に係る音量制御方法は、テレビジョンチューナと映像音声出力装置とを備える一体型テレビジョン放送受信機に於いて、レベル検出部がテレビジョンチューナと映像音声出力装置からの音声信号の信号レベルを検出し、アンプが音声信号を増幅し、制御部がレベル検出部からの信号レベルに基づいて、音声信号の信号レベルが閾値以上であるか否かを判別し、閾値以上であれば、音声信号が低音であるか高音であるかを判別し、音声信号が低音の場合に、アンプの利得を増幅させることを特徴とする。
【００２５】
この音量制御方法によれば、音声信号のレベルが閾値以上であり、低音であると判別された音声信号に限って、アンプの利得を増加させることが可能となるので、高音の音量の場合は変化させることなく、低音の音量のみを上げることが出来る。
【００２６】
第１０発明に係る音量制御方法は、第９発明に係る音量制御方法に於いて、音声信号が所定時間以上低音であれば、アンプの利得を増加させることを特徴とする。
【００２７】
この音量制御方法によれば、音声信号が所定時間以上低音であれば、アンプの利得を増加させて、低音の音量を上げることが出来るので、極めて短い時間に消滅する音声ではなく、一定時間継続する発話行為による音声のように、内容把握が必要な音声を対象にユーザが低音の音声を聴き易い状態にすることが出来る。
【００２８】
第１１発明に係る音量制御方法は、第１０発明に係る音量制御方法に於いて、閾値は、人間が無音状態として知覚する信号レベルであることを特徴とする。
【００２９】
この音量制御方法によれば、人間が無音状態として知覚する信号レベル以下の周波数については、制御部で音量制御処理を施す必要がないので、不要な電力消費を抑えることが出来る。
【００３０】
第１２発明に係る音量制御方法は、第１１発明に係る音量制御方法に於いて、制御部は、音声信号を構成する周波数帯の内、規定値以下の各周波数に於ける電圧比を積分して、規定値以下の電圧比の総和を算出し、総和の値が一定の値以上であれば低音、一定の値より小さければ高音として判別することを特徴とする。
【００３１】
この音量制御方法によれば、音声信号を構成する周波数帯の内、規定値以下の各周波数に於ける電圧比を積分して、規定値以下の電圧比の総和を算出し、総和の値が一定の値以上であるか否かによって高音と低音の判別をすることが出来るので、音声信号の周波数成分を比較することによって、容易に低音と高音の判別をすることが出来る。
【発明の効果】
【００３２】
本発明によれば、一定の値以上の信号レベルを有する低音の音声信号が一定時間継続して検出された場合に、スピーカから出力される音量を上げることが出来る。
【発明を実施するための最良の形態】
【００３３】
[構成]
図１は、本実施形態に係るテレビジョン放送受信機１の概略構成図である。このテレビジョン放送受信機１は、アンテナ２と、チューナ３と、ＤＶＤ（Digital Versatile Disk）装置４と、ＶＴＲ（Video Tape Recorder）５と、インプットセレクトスイッチ６と、
レベル検出部７と、制御部８と、操作部９と、アンプ１０と、スピーカ１１とを備える。
【００３４】
アンテナ２は、テレビジョン放送の放送電波を受信し、電気信号である放送信号に変換する。チューナ部３は、この放送信号に処理を施し、インプットセレクトスイッチ６に出力する。ＤＶＤ装置４は、ＤＶＤに記録された映像及び音声信号をインプットセレクトスイッチ６に出力する。また、ＶＴＲ６は、ビデオテープに記録された映像信号及び音声信号をインプットセレクトスイッチ６に出力する。
【００３５】
操作部９は、ユーザからの入力を受け付け、入力結果を制御部８に出力する。
【００３６】
インプットセレクトスイッチ６は、操作部９からの信号を受けた制御部８の制御によって、チューナ部３、ＤＶＤ装置４、ＶＴＲ５の内、選択された装置からの映像及び音声に関する再生信号を映像出力部（図示せず）及びアンプ１０に出力する。
【００３７】
レベル検出部７は、インプットセレクトスイッチ６からの再生信号の内、音声信号の信号レベルを検出し、制御部８に出力する。
【００３８】
制御部８は、操作部９からの信号を受け付けるとともに、インプットセレクトスイッチ６とレベル検出部７とを制御する。また、レベル検出部７からの信号レベルに基づいて、アンプ１０を制御する。
【００３９】
アンプ１０は、インプットセレクトスイッチ６を介して音声信号処理部（図示せず）から入力される音声信号を増幅し、スピーカ１１に出力する。また、制御部８からの信号に基づいて、アンプ１０に於いて利得が変更される。スピーカ１１は、アンプ１０からの音声信号を出力する。なお、アンプ１０からの音声信号は外部のスピーカに出力されても良い。
【００４０】
[音量制御処理]
図２は、本実施形態に係るテレビジョン放送受信機で実行される音量制御処理に関するフローチャートであり、図２の処理は制御部８の命令に従って実行される。
【００４１】
本実施形態に係るテレビジョン放送受信機１に於いて、ユーザによる操作部９への入力により、チューナ部３、ＤＶＤ装置４、ＶＴＲ５の内の、何れかの装置による映像及び音声再生の実行が決定されると、制御部８はインプットセレクトスイッチ６を制御して、該当する装置からの再生信号を、音声信号処理部（図示せず）を介して、アンプ１０に出力させる。
【００４２】
そして、ユーザが操作部９への入力によって音声制御機能を作動させていると（Ｓ２０）、制御部８は音量制御処理を開始し（Ｓ２１）、反対に、ユーザが音声制御機能を作動させていない場合には、ステップ２０に戻る。制御部８は、レベル検出部７を制御して、レベル検出部７に入力された音声信号の信号レベルを検出させ（Ｓ２２）、レベル検出部７は検出した信号レベルを制御部８に出力し、制御部８は周波数レベルの確認を行う（Ｓ２３）。まず、出力された音声信号の信号レベルが閾値以上か否かが判断され、閾値以上であれば次のステップに移行し、閾値以下であれば、ステップ２０に戻る。本実施形態に於いては、音声信号の信号レベルが閾値以上か否かの判断は、何れかの周波数レベルが閾
値以上か否かによって判断するが、全周波数に亘る電圧比の積分値が閾値以上か否かによって判断しても良い。また、本実施形態に於いては、音声信号のレベルとして電圧比（ｄＢ）が使用され、閾値には一般に人間が無音状態であると知覚する音声の信号レベルが使用され、閾値の値を−５０ｄＢに設定している。
【００４３】
次に、音声信号のレベルが−５０ｄＢ以上であると判断された場合、制御部８は、この音声信号が高い周波数と低い周波数の何れの周波数特性を有する割合が大きい音声信号であるのか、言い換えれば、この音声信号がスピーカから出力された場合、高音と低音の何れの音声として知覚されるのかについて判別する（Ｓ２４）。
【００４４】
この具体的な判別方法について、図３を参照して説明する。図３（ａ）は一般的な低音の音声が有する周波数（Ｈｚ）と電圧比（ｄＢ）の関係を示すグラフであり、図３（ｂ）は一般的な高音の音声が有する周波数（Ｈｚ）と電圧比（ｄＢ）の関係を示すグラフである。図中の閾値は、人間が老化に伴い聞き取り難くなる音声信号の閾値であり、齢を重ねる毎に該閾値以下の周波数を聞き取り難くなる。本実施例に於いては、閾値を１００Ｈｚに設定している。但し、一般に低い男性の声の周波数帯は８０−３００Ｈｚと言われているので、この周波数の範囲内で閾値を設定してもよい。また、年齢層によって聞き取り難い周波数の閾値は異なるので、ターゲットとなる年齢層に応じて閾値を適宜変更してもよい。制御部８は、レベル検出部７から出力された音声信号のレベルに基づいて、該音声信号が有する１００Ｈｚ以下の各周波数に於ける電圧比（信号レベル）を積分して、１００Ｈｚ以下の電圧比の総和を算出する。この時、該総和の値が一定の値以上であれば低音と判断され、一定の値より小さければ高音と判断される。そして、音声信号が低音と判断された場合には、次のステップに移行し、高音と判断された場合には、ステップ２０に戻る（Ｓ２４）。
【００４５】
音声信号が低音と判断された場合、制御部８に内蔵、若しくは外部に設けられたタイマ装置（図示せず）によって、該音声信号が１秒以上継続して検出されたか否かが判断され、１秒以上継続して検出された場合には、次のステップに移行し、１秒未満の検出時間であれば、ステップ２０に戻る（Ｓ２５）。
【００４６】
そして、該音声信号が１秒以上継続して検出された場合、制御部８はアンプ１０の利得を増加させて、増加された利得で音声信号を増幅させて、アンプ１０からスピーカ１１に出力させる。スピーカ１１はこれを受けて、通常の音量よりも音量を上げて音声を出力し（Ｓ２６）。ステップ２０に戻る。具体的には、本実施形態に於いては、アンプ１０で電圧比が−３０ｄＢの低音を−２０ｄＢに増幅させる。この利得の増加分は、電圧比で約１．３倍の増加分に相当するのだが、これは一般のテレビジョン放送受信機に備えられている音量調節レベルの２ステップ分に相当する。  
【００４７】
[作用効果]
本実施形態に係るテレビジョン放送受信機１によれば、テレビジョンチューナと、ＶＴＲと、ＤＶＤ装置から出力される音声信号の内、閾値―５０ｄＢ以上であって、１００Ｈｚ以下の各周波数に於ける信号レベルを積分し、１００Ｈｚ以下の信号レベルの総和を算出して、この総和の値が一定の値以上であり、さらに、一定時間以上低音が継続した場合に限って、アンプの利得を増加させてスピーカから出力する低音の音量を上げる。したがって、老化に伴い聴き取り難くなる低音の音声をユーザが聴き易い状態にするとともに、極めて短い時間に消滅する音声ではなく、一定時間継続する発話行為による音声のように、内容把握が必要な音声を対象にユーザが低音の音声を聴き易い状態にすることが出来る。
【００４８】
また、本実施形態に係るテレビジョン放送受信機１によれば、対数計算を用いた電圧比（ｄＢ）によって音声信号のレベルを検出するので、単純に電圧（Ｖ）を用いて信号レベルを確認する場合に比して、音声信号の変化を明確に捉えることが出来る。また、電圧比
を用いて信号レベルを検出することにより、比較的単純な回路構成を備えた検出部を備えることで音声信号のレベルを検出することが出来る。
【００４９】
また、本実施形態に係るテレビジョン放送受信機１によれば、−５０ｄＢ以下の周波数については制御部８に於ける音量制御処理を実施しない構成としているので、人間が無音状態として知覚する音声については音量制御処理を施す必要がなくなり、不要な電力消費を抑えることが出来る。
【００５０】
また、本実施形態に係るテレビジョン放送受信機１によれば、音声信号を構成する周波数の内、１００Ｈｚ以下の各周波数に於ける電圧比を積分して、１００Ｈｚ以下の電圧比の総和を算出し、総和の値が一定の値以上であるか否かによって高音と低音の判別をすることが出来るので、音声信号の周波数成分を比較することによって、容易に低音と高音の判別をすることが出来る。
【００５１】
また、本実施形態に係る放送受信機１によれば、ユーザによる操作部９への入力によって、音量制御処理を作動させるか否かの切替えを行うことが出来るので、音量制御処理を作動させない場合には、テレビジョン放送受信機１の消費電力を抑えることが出来る。
【図面の簡単な説明】
【００５２】
【図１】本実施形態に係るテレビジョン放送受信機のブロック図
【図２】本実施形態に係る音量制御方法に関するフローチャート
【図３】高周波数と低周波数の音声に関するグラフ
【符号の説明】
【００５３】
１    テレビジョン放送受信機  
２    アンテナ  
３    チューナ部
４    ＤＶＤ装置
５    ＶＴＲ
６    スイッチ回路
７    レベル検出部
８    制御部
９    操作部
１０  アンプ
１１  スピーカ
【図１】
2006054828.tif 000003
【図２】
2006054828.tif 000004
【図３】
2006054828.tif 000005